(57)【特許請求の範囲】
【請求項１】
破砕対象物に複数の電極挿入孔を削孔し、前記電極挿入孔内に、絶縁体を介して配置された同軸電極、もしくは、一対の電極を互いに対向するように配置したワイヤー電極を挿入して放電させ、前記放電による衝撃波により前記破砕対象物を破砕する放電破砕方法であって、
前記複数の電極挿入孔を線状に配置するとともに、
前記電極挿入孔の開口部を結ぶ、深さが前記電極挿入孔の深さの１/３以下である浅溝と、
前記電極挿入孔が削孔された破砕対象物の面の側面の前記電極挿入孔の孔底よりも下方に設けられる、前記電極挿入孔が削孔された面と平行で、かつ、切り込み深さが前記電極挿入孔の孔底の直下まで達する横溝とを形成した後、
前記電極を放電させて前記浅溝に沿ったひび割れを誘発させ、
前記破砕対象物を破砕するようにしたことを特徴とする放電破砕方法。
【請求項２】
前記電極挿入孔が削孔された破砕対象物の面の側面に、前記側面及び電極挿入孔が削孔された面に直交し、切り込み深さが前記側面から前記電極挿入孔までの距離よりも短い少なくとも２本の縦溝を形成して前記縦溝に沿ったひび割れを誘発するようにしたことを特徴とする請求項１に記載の放電破砕方法。
【請求項３】
前記各縦溝の深さ方向の延長線上に前記電極挿入孔が位置していることを特徴とする請求項２に記載の放電破砕方法。  
【発明の詳細な説明】
【技術分野】
【０００１】
本発明は、放電による衝撃波により例えば、建造物の基礎コンクリートなどの破砕対象物を破砕する方法に関するもので、特に、破砕対象物に、特定方向に連続して延長するひび割れを誘発させて、破砕対象物を破砕する方法に関する。
【背景技術】
【０００２】
従来、建造物の基礎コンクリートや橋脚などのコンクリート構造体を解体する方法として、放電破砕装置を用いた放電破砕方法が知られている（例えば、特許文献１参照）。
放電破砕装置は、図１０（ａ）に示すように、棒状の中心電極２１ａと中心電極２１ａの外周を被覆する筒状の絶縁体２１ｋと絶縁体２１ｋの外周に設けられた外周電極２１ｂとを備えた同軸電極２１と、電源２２ａと大容量コンデンサ２２ｂとを備え同軸電極２１に大電流を供給するパルスパワー源２２と、同軸電極２１とパルスパワー源２２とを接続する同軸ケーブル２３及びコネクタ２４とを備える。放電破砕装置２０の同軸電極２１の中心電極２１ａと外周電極２１ｂとは、大容量コンデンサ２２ｂの一方の極板と他方の極板にそれぞれスイッチ２２ｐを介して接続され、スイッチ２２ｐにより大容量コンデンサ２２ｂと同軸電極２１とを電気的に接続することによりスイッチ２２ｑを閉じた状態で大容量コンデンサ２２ｂに充電された電荷を同軸電極２１の中心電極２１ａ及び外周電極２１ｂ間にて放電させ、同軸電極２１近傍に衝撃波を発生させて、同軸電極２１の周囲のコンクリートにひび割れを発生させる。
【０００３】
次に、図１０（ａ）〜（ｃ）を用いて建造物の基礎コンクリートのような破砕対象物５０を破砕する方法について説明する。
まず、破砕対象物５０の上面５０ａにワイヤーソーなどを用いて深溝５１を形成し、破砕対象物５０を同図のＲ１，Ｒ２，Ｒ３，……に示すような複数の領域に分割するとともに、各領域に複数の電極挿入孔５２を削孔し、この電極挿入孔５２に水などの電解液５３を注入した後、電極挿入孔５２に絶縁体を介して配置された同軸電極２１を挿入し、同軸電極２１に大電流を投入して放電させて、前記電極挿入孔５２と深溝５１の溝面との間のコンクリートにひび割れを発生させた後、ひび割れた部分を小型のブレーカなどの削岩機を用いて破砕する。これにより、従来のブレーカ等の破砕機やコールピックハンマー（ピック）等の削岩機を用いて破砕する場合に比べて、破砕対象物５０を効率よく破砕することができる。なお、電極挿入孔５２近傍のコンクリートや深溝５１近傍のコンクリートなどの一部のコンクリートは衝撃により直接破砕される（例えば、特許文献２参照）。
また、破砕対象物が鉄筋コンクリート構造物である場合には、外周面の鉄筋が配置されている位置よりも深い切り込み溝を形成するとともに、深溝と切り込み溝とで囲まれた領域に電極挿入孔を設けて同軸電極を挿入して放電させるようにしている。このように、鉄筋を切り込み溝により分断することで鉄筋も振動し、鉄筋の一部が衝撃波で破断されるので、破砕対象物が鉄筋コンクリート構造物であっても容易に破砕することができる（例えば、特許文献３参照）。
また、破砕対象物を所定の大きさに切り出す方法としては、ボーリング装置などにより形成したワイヤー挿入孔にワイヤーソーを挿通させて配置し、このワイヤーソーを駆動させて破砕対象物を切断する方法が知られている（例えば、特許文献４参照）。
【先行技術文献】
【特許文献】
【０００４】
【特許文献１】特開２００３−３２０２６８号公報
【特許文献２】特許第４７２７２５６号公報
【特許文献３】特開２００６−２０７３２２号公報
【特許文献４】特開平５−１９６７９７号公報
【発明の概要】
【発明が解決しようとする課題】
【０００５】
しかしながら、前記従来の放電破砕法では、破砕対象物５０を細かく破砕することを目的としているため、電極挿入孔５２の数を多くしなければならず、その結果、深溝５１の形成や電極挿入孔５２の削孔に時間がかかっていた。
また、破砕物の大きさが細かい場合には、発生する粉塵が多くなり破砕物の収納率が低くなるだけでなく、破砕物を集めて収納したり運搬したりするのが大変であった。
そこで、電極挿入孔５２の数を減らすことで破砕物の大きさを大きくすることも考えられるが、電極挿入孔５２の数を減らした場合には、放電によるひび割れの発生が少なくなるので、破砕対象物５０を十分に破砕することが困難であった。
一方、ワイヤーソーを用いる方法では、予め多数のワイヤー挿入孔を削孔する必要があるだけでなく、切断時の廃液やスラッジなどの二次廃棄物が多いといった問題点がある。
【０００６】
本発明は、従来の問題点に鑑みてなされたもので、建築物の基礎コンクリートなどのような破砕対象物に、放電により、特定方向に連続して延長する隙間の大きなひび割れを確実に発生させることで、破砕対象物を容易に破砕する方法を提供することを目的とする。
【課題を解決するための手段】
【０００７】
本発明は、破砕対象物に複数の電極挿入孔を削孔し、前記電極挿入孔内に、絶縁体を介して配置された同軸電極、もしくは、一対の電極を互いに対向するように配置したワイヤー電極を挿入して放電させ、前記放電による衝撃波により前記破砕対象物を破砕する放電破砕方法であって、前記複数の電極挿入孔を線状に配置するとともに、前記電極挿入孔の開口部を結ぶ、深さが前記電極挿入孔の深さの１/３以下である浅溝と、前記電極挿入孔が削孔された破砕対象物の面の側面の前記電極挿入孔の孔底よりも下方に設けられる、前記電極挿入孔が削孔された面と平行で、かつ、切り込み深さが前記電極挿入孔の孔底の直下まで達する横溝とを形成した後、前記電極を放電させて前記浅溝に沿ったひび割れを誘発させ、前記破砕対象物を破砕するようにしたことを特徴とする。
このように、開口部が浅溝で結ばれた複数の電極挿入孔に同軸電極を挿入して放電させるようにしたので、前記浅溝に沿った隙間の大きな直線状のひび割れを生じさせることができる。したがって、従来の自由面を形成するための深溝を形成する場合に比較して、溝形成の作業が少なくかつ短期間で破砕対象物の外縁部と浅溝との間の領域を確実に破砕できるので、作業効率を大幅に向上させることができる。また、本方法では、ひび割れの方向を制御できることから、大きな塊状の破砕物を得ることができるので、破砕物の運搬が容易となる。また、形成する溝が浅くかつ幅が狭いので粉じんの発生量が少なく、作業環境が向上するだけでなく、破砕物の塊の大きさを自由に決められるので、従来に比較して大きい塊を得ることも可能となり、破砕物の回収作業も容易となる。
また、上記のような横溝を設けることで、厚さ（破砕対象物の電極挿入孔が削孔された面とその反対側の面との距離）の厚い破砕対象物を効率よく破砕できるとともに、ほぼ直方体状の破砕物を得ることができるので、破砕物の収納や運搬が容易になる。
【０００８】
また、本発明は、前記電極挿入孔が削孔された破砕対象物の面の側面に、前記側面及び電極挿入孔が削孔された面に直交し、切り込み深さが前記側面から前記電極挿入孔までの距離よりも短い少なくとも２本の縦溝を形成して前記縦溝に沿ったひび割れを誘発するようにしたことを特徴とする。
これにより、電極挿入孔の配列方向だけでなく、電極挿入孔の配列方向に垂直な方向に延長する互いにほぼ平行な少なくとも２列のひび割れを生じさせることができるので、大きさの揃ったブロック状の破砕物を容易に得ることができる。
また、本発明は、前記各縦溝の深さ方向の延長線上に前記電極挿入孔を位置させたことを特徴とする。
これにより、電極挿入孔の配列方向に垂直な方向のひび割れを確実に誘発できるので、ほぼ直方体状の破砕物を確実に得ることができる。したがって、破砕物の回収作業や運搬作業が更に容易になる。
【００１０】
なお、前記発明の概要は、本発明の必要な全ての特徴を列挙したものではなく、これらの特徴群のサブコンビネーションもまた、発明となり得る。
【図面の簡単な説明】
【００１１】
【図１】本実施の形態１に係る放電破砕方法を示す図である。
【図２】本実施の形態１に係る放電破砕方法を用いた破砕作業の工程図である。
【図３】同軸電極による放電状態を示す図である。
【図４】ひび割れの発生状況の概要を示す図である。
【図５】破砕物の剥ぎ取り方法の一例を示す図である。
【図６】本実施の形態２に係る放電破砕方法を示す図である。
【図７】ひび割れの発生状況の概要を示す図である。
【図８】原子力発電所の生体遮蔽壁の一例と、従来の生体遮蔽壁の解体方法を示す図である。
【図９】本発明による生体遮蔽壁の解体方法を示す図である。
【図１０】従来の放電破砕方法を示す図である。
【発明を実施するための形態】
【００１２】
以下、実施の形態を通じて本発明を詳説するが、以下の実施の形態は特許請求の範囲に係る発明を限定するものでなく、また、実施の形態の中で説明される特徴の組み合わせの全てが発明の解決手段に必須であるとは限らない。
【００１３】
実施の形態１．
図１は、本実施の形態１に係る放電破砕方法を示す図で、図２は放電破砕方法を用いた破砕作業の工程図である。
本例では、図１に示すような、長さａが５５００ｍｍ、幅ｂが２０００ｍｍ、厚さｃが１５００ｍｍである直方体状のコンクリート体（以下、破砕対象物という）１０を、図１０（ａ）に示した同軸電極２１を備えた放電破砕装置２０を用いて破砕する方法について説明する。
まず、破砕対象物１０の上面１０ａの一方側の側面１０ｂ側からＬ＝５００ｍｍ離れた位置に、放電破砕装置の同軸電極を挿入するための複数の電極挿入孔１１を４００ｍｍピッチで削孔する。これにより、電極挿入孔１１を、上面１０ａの側面１０ｂから一定の距離を隔てた位置に、上面１０ａと側面１０ｂとのつくる稜線に沿って配置することができる（第１工程）。
本例では、外径が５０ｍｍφの同軸電極２１を用いて放電を行う関係上、各電極挿入孔１１の径を約７５ｍｍφ、深さＤを約１０００ｍｍとした。なお、電極挿入孔１１の削孔は、例えば、周知のコアドリルなどを用いて行うことができる。
次に、ウォールソーを用いて、各電極挿入孔１１の開口部を結ぶ、幅が電極挿入孔１１の径の１/４以下で、深さが電極挿入孔の深さの１/３以下である浅溝１２を形成する（第２工程）。
本例では、浅溝１２の幅を５ｍｍとし、深さｄを１５０ｍｍとした。なお、ウォールソーは円盤状の回転刃を回転させながら対象物を切削することでスリットを形成するもので、ワイヤーソーを用いた場合に比較して溝幅の狭い浅溝１２を形成することができる。浅溝１２は上面１０ａ内で終端してもよいし、側面１０ｂと直交する側の側面１０ｃに開口させてもよい。
次に、破砕対象物１０の側面１０ｂに横溝１３を形成する（第３工程）。
横溝１３は、破砕対象物１０の上面１０ａに平行な溝で、本例では、ウォールソーを用い、上面１０ａからの距離が電極挿入孔１１の深さＤよりも長い位置（例えば、上面１０ａからｈ＝１２００ｍの位置）に、幅が５ｍｍ、深さが５００ｍｍのスリット状の横溝１３を形成した。横溝１３は破砕物の厚さを規定するとともに、破砕対象物１０が鉄筋コンクリート構造物である場合には、横溝１３により縦筋が切断されるので、破砕対象物１０の破砕と後述する破砕物の剥ぎ取りとを容易に行うことができる。
以下、破砕対象物１０の浅溝１２を通り浅溝１２に平行な面と、電極挿入孔１１の配列方向に平行な側面１０ｂと、横溝１３を通り横溝１３に平行な面とに囲まれた領域を破砕予定領域Ｒ（図３参照）という。
【００１４】
電極挿入孔１１の削孔と浅溝１２及び横溝１３の形成が終了した後には、図３に示すように、各電極挿入孔１１に水などの電解液１４を注入した後、電極挿入孔１１に同軸電極２１を挿入して放電させ、破砕対象物１０にひび割れを生じさせる（第４工程）。
なお、放電は電極挿入孔１１毎に順次行ってもよいし、同時に行ってもよい。
また、放電の回数は１回でもよいし複数回行ってもよい。また、放電を複数回行う場合には、２回目以降の放電については、電極挿入孔１１の孔底で行ってもよいし、図３の破線で示すように、孔底よりも高い位置で行ってもよい。
本例では、電極挿入孔１１の開口部を結ぶ浅溝１２が形成されているので、放電後の破砕対象物１０には、図４（ａ）に示すような、電極挿入孔１１から横溝１３が設けられている側面１０ｂ（自由面）に向かう複数の折れ線状のひび割れＣkと、浅溝１２に沿ったひび割れＣkよりも大きな隙間を有する直線状のひび割れＣｎとが発生する。
浅溝１２がない場合でも、図４（ｂ）に示すように、電極挿入孔１１の開口部同士を結ぶ折れ線状のひび割れＣkが発生するが、本例のように、電極挿入孔１１の開口部を結ぶ浅溝１２を形成することで、浅溝１２に沿った直線状のひび割れを誘発することができるとともに、大きな隙間のひび割れを発生させることができる。
なお、説明を簡単にするため、図４（ａ），（ｂ）のびび割れＣk，Ｃｎ、及び、後述する図７（ａ），（ｂ）のびび割れＣk，Ｃm，Ｃｎ，Ｃjの形態については、実際のものを模式化して示した。
ところで、浅溝１２に代えて、隣接する電極挿入孔１１，１１の間に電極挿入孔１１と同じ形状の誘導孔を設けてひび割れを誘発させることも考えられるが、実際に誘導孔を設けて放電しても図４（ｂ）と同様の折れ線状のひび割れＣkは発生するが、本例のような、大きな隙間の直線状のひび割れを誘発することはできなかった。
したがって、電極挿入孔１１の配列方向に沿った大きな隙間のひび割れを発生させるためには、本例にように、電極挿入孔１１の開口部を結ぶ浅溝１２を形成する必要があることが分かる。
【００１５】
破砕対象物１０にひび割れＣk，Ｃｎを生じさせた後には、図５に示すように、ブレーカやハンマー式の油圧破砕機などの重機２９を用い、破砕予定領域Ｒのうちのひび割れＣk，Ｃｎで囲まれた部分を側面１０ｂ側に倒すようにして破砕された破砕物Ｇを剥ぎ取る（第５工程）。
放電後の破砕予定領域Ｒでは、電極挿入孔１１から前記側面１０ｂとの間に生じたひび割れＣkと浅溝１２に沿った直線状のひび割れＣｎとに囲まれたコンクリートは、周りのコンクリートとの結合が極めて弱いので、前記ひび割れＣk，Ｃｎで囲まれたコンクリートのブロックから成る破砕物Ｇを破砕対象物１０から容易に剥ぎ取ることができる。
前記剥ぎ取られた破砕物Ｇは、厚さが横溝１３の深さに等しく、長さが浅溝１２と破砕対象物１０の長さ方向に垂直な側面１０ｂとの距離にほぼ等しい、大きさのほぼ揃った大きなブロックなので、例えば、剥ぎ取った破砕物Ｇを吊り上げてこれを矩形容器に収納して運搬するなどすれば、破砕物の回収作業や運搬作業を容易に行うことができる。
破砕予定領域Ｒの破砕物Ｇを全て剥ぎ取った後には、この剥ぎ取られた面を新たな側面１０ｂ’（図５を参照）とし、第１工程から第５工程までの作業を繰り返すことで、新たに掘削した複数の電極挿入孔１１と新たな側面１０ｂ’との間のコンクリートを破砕する作業を繰り返す。なお、破砕予定領域Ｒ以外の部分の電極挿入孔１１と浅溝１２については、予め工程の最初に設けておいてもよい。
【００１６】
なお、前記実施の形態１では、破砕対象物１０を直方体状のコンクリート体としたが、破砕対象物１０の形状はこれに限るものではなく、上面視Ｌ字状のコンクリート体など他の形状であってもよい。この場合、電極挿入孔１１の配列方向を破砕して剥ぎ取る側面の方向と同方向にすることが好ましい。
また、前記例では、破砕対象物１０の側面１０ｂである自由面側から５００ｍｍ離れた位置に、径が約７２ｍｍφ、深さが約１００ｍｍの電極挿入孔１１を４００ｍｍピッチで削孔したが、電極挿入孔１１の寸法や位置、ピッチなどはこれに限るものではなく、挿入する同軸電極２１の種類、解体する破砕対象物１０の強度や厚さ等に応じて適宜設定すればよい。
また、前記例では、電極挿入孔１１を直線状に配列したが、折れ線状もしくは曲線状に配置してもよい。なお、この場合も、浅溝１２については、電極挿入孔１１の開口部を結ぶ折れ線状（個々の浅溝１２を直線状）にすることが好ましく、これにより、ひび割れを浅溝１２に沿って有効に誘導することができる。
また、横溝１３については、破砕対象物１０の厚さが薄い場合には省略してもよいが、横溝１３により破砕対象物１０の下端面のコンクリートが周囲のコンクリートと縁切りされ破砕物の剥ぎ取りが容易となるので、横溝１３を設けた方が好ましい。
なお、浅溝１２や横溝１３の幅を大きくすると粉じんの発生量が多くなるので、１５ｍｍ以下にすることが好ましく、１０ｍｍ以下にすると更に好ましい。
また、前記例では、電極挿入孔１１を削孔してから浅溝１２を形成したが、浅溝１２を形成してから電極挿入孔１１を削孔してもよい。
また、前記例では、同軸電極２１を備えた放電破砕装置２０を用いたが、放電電極として、一対の電極を互いに対向するように配置したワイヤー電極を備えた放電破砕装置を用いてもよい。
【００１７】
実施の形態２．
前記実施の形態１では、破砕対象物１０に開口部が浅溝１２で結ばれた電極挿入孔１１と横溝１３とを設けることにより破砕予定領域Ｒを構成したが、図６に示すように、横溝１３を設けた側面１０ｂに縦溝１５を複数本形成することで破砕予定領域を複数構成するようにすれば、厚さ方向や長さ方向だけでなく、幅方向の大きさも揃ったブロック状の破砕物を得ることができる。
縦溝１５は、横溝１３が形成された側面１０ｂに横溝１３と垂直な方向に延長するように設けられた幅が５ｍｍ、深さｋが１５０ｍｍのスリット状の溝で、一端が上面１０ａに開口し他端が横溝１３に開口する。縦溝１５も、浅溝１２や横溝１３と同様にウォールソーを用いて形成される。なお、縦溝１５の深さｋは１５０ｍｍなので、破砕対象物１０の上面から見たときの縦溝１５の端部（溝底）は電極挿入孔１１まで達していない。
本例では、各縦溝１５の深さ方向の延長線上に電極挿入孔１１が位置するように、各縦溝１５を形成した。なお、本例では、縦溝１５は横溝１３を形成する工程の後に形成した。
縦溝１５の深さ方向の延長線上に電極挿入孔１１があるように縦溝１５を形成すると、図７（ａ）に示すように、縦溝１５と電極挿入孔１１とを結ぶ隙間の大きな直線状のひび割れＣmが発生するので、破砕物の形状をほぼ直方体状に揃え易くなるので、大きさの揃ったブロック状の破砕物を確実に得ることができる。
また、破砕対象物１０が鉄筋コンクリート構造物である場合には、縦溝１５により横筋が切断されるので、破砕対象物１０の破砕と破砕物の剥ぎ取りとが容易となる。
【００１８】
なお、縦溝１５の延長線上に電極挿入孔１１がない場合でも、図７（ｂ）に示すように、縦溝１５は電極挿入孔１１の延長方向に直交する方向に延長する直線状のひび割れＣjを誘発することは可能である。このひび割れＣjは電極挿入孔１１に達しない場合が多いが、放電により、ひび割れＣjの端部と電極挿入孔１１との間にも折れ線状のひび割れＣkが発生するので、縦溝１５の延長線上に電極挿入孔１１がなくても縦溝１５と電極挿入孔１１とを結ぶひび割れを誘発することができる。但し、ひび割れＣjの隙間もひび割れＣkの隙間も、本例の縦溝１５と電極挿入孔１１とを結ぶ直線状のひび割れＣmの隙間よりも小さいので、破砕物を容易に剥ぎ取るためには、本例のように、各縦溝１５の深さ方向の延長線上に電極挿入孔１１が位置するように、各縦溝１５を形成することが好ましい。
また、前記例では、縦溝１５の間隔を隣接する電極挿入孔１１間の距離よりも大きくしたが、電極挿入孔１１間の距離よりも小さくして多数設けてもよい。但し、縦溝１５のピッチを小さくすると歪みが分散してひび割れを縦溝１５に効率よく誘導できないので、縦溝１５のピッチとしては隣接する電極挿入孔１１間の距離の１/２以上とすることが好ましい。
【００１９】
また、本発明の放電破砕方法では、破砕の境界を、電極挿入孔１１の削孔位置や縦溝１５の形成位置にて規制できるので、原子力発電所の生体遮蔽壁の解体などに好適に用いることができる。
従来、生体遮蔽壁の解体は、図８に示すように、生体遮蔽壁の側壁部３０の放射化されているとされる部分と放射化されていないとされる部分との境界Ｋに沿って、ボーリング装置などに縦穴３１を形成し、この縦穴３１を利用して図示しないワイヤーソーにより切断面Ｚを形成して、放射化されているとされる部分３０Ａを所定の大きさのブロックに切断する、いわゆるワイヤーソー工法が用いられていた。
ところで、生体遮蔽壁の解体は、例えば、外径が２５０００ｍｍ、内径が２１０００ｍｍと極めて大きいので、図９（ａ）に示すように、生体遮蔽壁の側壁部３０の放射化されているとされる部分３０Ａを、例えば、円周方向に１２分割するなどして、分割された領域が上面視ほぼ台形状の角柱となるような複数の領域３０Ｎに分割し、この分割した各領域３０Ｎについて、本発明の放電時破砕方法を適用すれば、前記実施の形態１，２と同様に、各領域３０Ｎを容易に破砕することができる。
具体的には、図９（ｂ）に示すように、上面視ほぼ台形状に分割された放射化されているとされる領域３０Ｎとその外周部分である放射化されていないとされる部分３０Ｂとの境界Ｋに沿って複数の電極挿入孔１１を配列するとともに、これらの電極挿入孔１１の開口部を結ぶ浅溝１２を形成し、更に、横溝１３と縦溝１５とを形成して破砕領域を決定する。なお、互いに隣接する放射化されているとされる領域３０Ｎ，３０Ｎの境界には縦溝１５を設ける。
そして、削孔された電極挿入孔１１に同軸電極２１を挿入して浅溝１２及び縦溝１５に沿ったひび割れを発生させるようにすれば、放射化されているとされる領域３０Ｎを前記境界Ｋにて確実に分離して破砕できるとともに、放射化されているとされる領域３０Ｎをほぼ同じ大きさのブロック状に破砕して回収することができる。  
このように、本発明の放電破砕方法を生体遮蔽壁の解体に適用すれば、ワイヤーソー工法に比較して早期に解体を行うことができるとともに、ワイヤーソー工法の欠点であった切断時の廃液やスラッジなどの二次廃棄物を大幅に減少させることができる。
【００２０】
以上、本発明を実施の形態を用いて説明したが、本発明の技術的範囲は前記実施の形態に記載の範囲には限定されない。前記実施の形態に、多様な変更または改良を加えることが可能であることが当業者にも明らかである。そのような変更または改良を加えた形態も本発明の技術的範囲に含まれ得ることが、特許請求の範囲から明らかである。
【００２１】
本発明によれば、建築物の基礎コンクリートなどのような破砕対象物に大きなひび割れを確実に発生させることができるので、建造物の基礎コンクリートなどの解体を容易に行うことができる。また、大きな塊状の破砕物を得ることができるので、破砕物の回収作業や運搬作業を容易に行うことができる。
【符号の説明】
【００２２】
１０  破砕対象物、１１  電極挿入孔、１２  浅溝、１３  横溝、１４  電解液、
１５  縦溝、２０  放電破砕装置、２１  同軸電極、２２  パルスパワー源、
２３  同軸ケーブル、２４  コネクタ、２９  重機。
【図１】
0005843528.tif 000002
【図２】
0005843528.tif 000003
【図３】
0005843528.tif 000004
【図４】
0005843528.tif 000005
【図５】
0005843528.tif 000006
【図６】
0005843528.tif 000007
【図７】
0005843528.tif 000008
【図８】
0005843528.tif 000009
【図９】
0005843528.tif 000010
【図１０】
0005843528.tif 000011